(57)【特許請求の範囲】
【請求項１】
所定数の空調スペースから形成された複数の空調対象グループと、熱源水を冷却または加熱する熱源装置と、前記熱源水をそれらグループと前記熱源装置とに循環させる主管と、前記主管からそれらグループ毎に分岐してそれらグループの各空調スペースに延びる枝管と、前記主管に設置されて前記熱源水を該主管および前記枝管に供給する熱源水ポンプと、それらグループ毎の各空調スペースに個別に設置され、前記枝管に流れる熱源水を利用してそれら空調スペースを冷房または暖房する水熱源マルチ型ヒートポンプユニットとを備え、前記熱源水を前記主管のうちの送り主管から前記枝管のうちの送り枝管に流入させるとともに、前記熱源水を前記送り枝管からそれらユニットに送り、それらユニットにおいて熱交換された熱源水を該ユニットから前記枝管のうちの還り枝管に戻すとともに、前記熱源水を前記還り枝管から前記主管のうちの還り主管に流入させる水熱源ヒートポンプユニット配管システムにおいて、
前記水熱源ヒートポンプユニット配管システムが、前記グループの各ユニットにおいて熱交換された熱源水の温度を測定する温度センサと、一方のグループの各ユニットにおいて熱交換された熱源水を他方のグループの各ユニットに流入させるバイパス管と、前記温度センサから出力された熱源水の温度に基づいて前記システムの通常運転モードと省エネ運転モードとのいずれかを実行する制御機構とを含み、
前記通常運転モードが、前記熱源水ポンプの供給量を通常流量に保持しつつ、前記熱源水ポンプから供給された熱源水を前記送り主管からそれらグループの各空調スペースに延びる前記送り枝管に流入させるとともに、それらグループの各ユニットにおいて熱交換された熱源水をそれらグループの各空調スペースに延びる前記還り枝管から前記還り主管に流入させ、前記省エネ運転モードが、一方のグループの各ユニットにおいて熱交換された熱源水を前記バイパス管を介して他方のグループの各ユニットに流入させ、その熱源水の熱エネルギーを他方のグループの各ユニットにおいて再び利用するとともに、前記熱源水ポンプの供給量を前記通常流量よりも少なくすることが可能であることを特徴とする水熱源ヒートポンプユニット配管システム。
【請求項２】
前記制御機構は、前記システムの熱源水冷却運転において、前記温度センサから出力された熱源水の温度が設定温度よりも高い場合、前記システムの通常運転モードを実行し、前記温度センサから出力された熱源水の温度が設定温度よりも低い場合、前記システムの省エネ運転モードを実行する請求項１に記載の水熱源ヒートポンプユニット配管システム。
【請求項３】
前記制御機構は、前記システムの熱源水加熱運転において、前記温度センサから出力された熱源水の温度が設定温度よりも低い場合、前記システムの通常運転モードを実行し、前記温度センサから出力された熱源水の温度が設定温度よりも高い場合、前記システムの省エネ運転モードを実行する請求項１または請求項２に記載の水熱源ヒートポンプユニット配管システム。
【請求項４】
前記バイパス管が、前記還り主管の近傍であって一方のグループの各空調スペースに延びる還り枝管に接続されるとともに、前記送り主管の近傍であって他方のグループの各空調スペースに延びる送り枝管に接続され、前記温度センサが、前記還り主管の近傍における還り枝管に設置され、その還り枝管に流れる熱源水の温度を測定し、前記省エネ運転モードでは、一方のグループの各ユニットにおいて熱交換された熱源水を該一方のグループの各空調スペースに延びる還り枝管から前記バイパス管に流入させ、その熱源水を前記バイパス管を介して他方のグループの各空調スペースに延びる送り枝管に流入させる請求項１ないし請求項３いずれかに記載の水熱源ヒートポンプユニット配管システム。
【請求項５】
前記バイパス管が、一方のグループと他方のグループとの間に延びる前記還り主管に接続されるとともに、一方のグループと他方のグループとの間に延びる前記送り主管に接続され、前記温度センサが、一方のグループと他方のグループとの間に延びる前記還り主管に設置され、その還り主管に流れる熱源水の温度を測定し、前記省エネ運転モードでは、一方のグループの各ユニットにおいて熱交換された熱源水を該一方のグループと他方のグループとの間に延びる前記還り主管から前記バイパス管に流入させ、一方のグループと他方のグループとの間に延びる前記還り主管に流れる熱源水を前記バイパス管を介して他方のグループの各ユニットに延びる枝管がつながる送り主管に流入させる請求項１ないし請求項３いずれかに記載の水熱源ヒートポンプユニット配管システム。
【請求項６】
前記グループの枝管には、一方のグループの送り枝管と還り枝管とに流れる熱源水の流量と他方のグループの送り枝管と還り枝管とに流れる熱源水の流量とを同一にする流量補償機構が設置されている請求項１ないし請求項５いずれかに記載の水熱源ヒートポンプユニット配管システム。
【請求項７】
前記システムが、前記主管に流れる熱源水の圧力を測定し、測定した圧力を前記制御機構に出力する圧力センサを含み、前記制御機構は、前記圧力センサから出力された熱源水の圧力に基づいて前記熱源水ポンプの供給量を調節する請求項１ないし請求項６いずれかに記載の水熱源ヒートポンプユニット配管システム。
【請求項８】
前記圧力センサが、前記グループのうちの前記送り主管から供給される熱源水が最後に流れる末端グループの枝管に設置され、前記末端グループの枝管の末端差圧を測定するとともに、測定した末端差圧を前記制御機構に出力する請求項７に記載の水熱源ヒートポンプユニット配管システム。
【発明の詳細な説明】
【技術分野】
【０００１】
本発明は、水熱源マルチ型ヒートポンプユニットによって複数の空調スペースを冷房または暖房する水熱源ヒートポンプユニット配管システムに関する。
【背景技術】
【０００２】
熱媒の循環経路に、能力可変型の圧縮機、四方弁、熱媒と熱源水とを熱交換させる熱源水側交換器、熱媒と空気とを熱交換させる空調用熱交換器、膨張弁と配管接続された複数の水熱源ヒートポンプユニットと、それら水熱源ヒートポンプユニットの各熱源水側熱交換器に温調された熱源水を循環配管を介して供給する熱源装置とを備え、それら水熱源ヒートポンプユニットが、制御対象空気の温度を検出して圧縮機の周波数を操作するとともに、熱源水の入口温度を計測する手段を有し、能力可変型の熱源水ポンプと逆止弁とを有する水熱源ヒートポンプユニットシステムの制御方法がある（特許文献１参照）。
【０００３】
それら水熱源ヒートポンプユニットは、四方弁の切り替えによって冷房時に空調用熱交換器で熱媒を蒸発させ、四方弁の切り替えによって暖房時に空調用熱交換器で熱媒を凝縮させる冷凍サイクルを行う。各水熱源ヒートポンプユニットは、熱源水系統において、冷房運転、暖房運転、送風運転を混在させた運転を行うことができる。
【先行技術文献】
【特許文献】
【０００４】
【特許文献１】特開２００７−３１５６８２号公報
【発明の概要】
【発明が解決しようとする課題】
【０００５】
前記特許文献１に開示の制御方法は、それら水熱源ヒートポンプユニットに流入する熱源水の供給量をそれらユニット単位で制御する。しかし、この制御方法では、それら水熱源ヒートポンプユニットから形成される複数の空調対象グループ毎に熱源水の供給量をコントロールすることはないから、それらグループに供給する熱源水の供給量や熱源水を循環させる熱源水ポンプの出力を空調負荷に応じて減少させることができず、それらグループに設置された各水熱源ヒートポンプユニットの機能を維持した状態で熱源水ポンプの動力を低減させることができない。
【０００６】
本発明の目的は、所定数の空調スペースから形成された複数の空調対象グループに供給される熱源水の供給量や熱源水を供給する熱源水ポンプの出力を空調負荷に応じて減少させることができ、それらグループに設置された各水熱源ヒートポンプユニットの機能を維持した状態で熱源水ポンプの動力を低減させることができる水熱源ヒートポンプユニット配管システムを提供することにある。
【課題を解決するための手段】
【０００７】
前記課題を解決するための本発明の前提は、所定数の空調スペースから形成された複数の空調対象グループと、熱源水を冷却または加熱する熱源装置と、熱源水をそれらグループと熱源装置とに循環させる主管と、主管からそれらグループ毎に分岐してそれらグループの各空調スペースに延びる枝管と、主管に設置されて熱源水を主管および枝管に供給する熱源水ポンプと、それらグループ毎の各空調スペースに個別に設置され、枝管に流れる熱源水を利用してそれら空調スペースを冷房または暖房する水熱源マルチ型ヒートポンプユニットとを備え、熱源水を主管のうちの送り主管から枝管のうちの送り枝管に流入させるとともに、熱源水を送り枝管からそれらユニットに送り、それらユニットにおいて熱交換された熱源水をユニットから枝管のうちの還り枝管に戻すとともに、熱源水を還り枝管から主管のうちの還り主管に流入させる水熱源ヒートポンプユニット配管システムである。
【０００８】
前記前提における本発明の特徴としては、水熱源ヒートポンプユニット配管システムが、グループの各ユニットにおいて熱交換された熱源水の温度を測定する温度センサと、一方のグループの各ユニットにおいて熱交換された熱源水を他方のグループの各ユニットに流入させるバイパス管と、温度センサから出力された熱源水の温度に基づいてシステムの通常運転モードと省エネ運転モードとのいずれかを実行する制御機構とを含み、通常運転モードが、熱源水ポンプの供給量を通常流量に保持しつつ、熱源水ポンプから供給された熱源水を送り主管からそれらグループの各空調スペースに延びる送り枝管に流入させるとともに、それらグループの各ユニットにおいて熱交換された熱源水をそれらグループの各空調スペースに延びる還り枝管から還り主管に流入させ、省エネ運転モードが、一方のグループの各ユニットにおいて熱交換された熱源水をバイパス管を介して他方のグループの各ユニットに流入させ、その熱源水の熱エネルギーを他方のグループの各ユニットにおいて再び利用するとともに、熱源水ポンプの供給量を通常流量よりも少なくすることが可能であることにある。
【０００９】
本発明の一例として、制御機構は、システムの熱源水冷却運転において、温度センサから出力された熱源水の温度が設定温度よりも高い場合、システムの通常運転モードを実行し、温度センサから出力された熱源水の温度が設定温度よりも低い場合、システムの省エネ運転モードを実行する。
【００１０】
本発明の他の一例として、制御機構は、システムの熱源水加熱運転において、温度センサから出力された熱源水の温度が設定温度よりも低い場合、システムの通常運転モードを実行し、温度センサから出力された熱源水の温度が設定温度よりも高い場合、システムの省エネ運転モードを実行する。
【００１１】
本発明の他の一例としては、バイパス管が、還り主管の近傍であって一方のグループの各空調スペースに延びる還り枝管に接続されるとともに、送り主管の近傍であって他方のグループの各空調スペースに延びる送り枝管に接続され、温度センサが、還り主管の近傍における還り枝管に設置され、その還り枝管に流れる熱源水の温度を測定し、省エネ運転モードでは、一方のグループの各ユニットにおいて熱交換された熱源水を一方のグループの各空調スペースに延びる還り枝管からバイパス管に流入させ、その熱源水をバイパス管を介して他方のグループの各空調スペースに延びる送り枝管に流入させる。
【００１２】
本発明の他の一例としては、バイパス管が、一方のグループと他方のグループとの間に延びる還り主管に接続されるとともに、一方のグループと他方のグループとの間に延びる送り主管に接続され、温度センサが、一方のグループと他方のグループとの間に延びる還り主管に設置され、その還り主管に流れる熱源水の温度を測定し、省エネ運転モードでは、一方のグループの各ユニットにおいて熱交換された熱源水を一方のグループと他方のグループとの間に延びる還り主管からバイパス管に流入させ、一方のグループと他方のグループとの間に延びる還り主管に流れる熱源水をバイパス管を介して他方のグループの各ユニットに延びる枝管がつながる送り主管に流入させる。
【００１３】
本発明の他の一例として、グループの枝管には、一方のグループの送り枝管と還り枝管とに流れる熱源水の流量と他方のグループの送り枝管と還り枝管とに流れる熱源水の流量とを同一にする流量補償機構が設置されている。
【００１４】
本発明の他の一例として、システムは、主管に流れる熱源水の圧力を測定し、測定した圧力を制御機構に出力する圧力センサを含み、制御機構は、圧力センサから出力された熱源水の圧力に基づいて熱源水ポンプの供給量を調節する。
【００１５】
本発明の他の一例として、圧力センサは、グループのうちの送り主管から供給される熱源水が最後に流れる末端グループの枝管に設置され、末端グループの枝管の末端差圧を測定するとともに、測定した末端差圧を制御機構に出力する。
【発明の効果】
【００１６】
本発明に係る水熱源ヒートポンプユニット配管システムによれば、温度センサから出力された熱源水の温度に基づいて通常運転モードと省エネ運転モードとのいずれかを実行し、省エネ運転モードにおいて一方のグループの各ユニットにおいて熱交換された熱源水をバイパス管を介して他方のグループの各ユニットに流入させ、その熱源水の熱エネルギーを他方のグループの各ユニットにおいて再び利用するとともに、熱源水ポンプの供給量を通常流量よりも少なくすることが可能であるから、一方のグループにおいて熱交換された熱源水を還り主管から熱源装置に戻すことなく、その熱源水の熱エネルギーを他方のグループの各ユニットの冷房運転や暖房運転、送風運転に再利用することができる。システムは、省エネ運転モードにおいて、一方のグループの各ユニットにおいて熱交換された熱源水を他方のグループの各ユニットに流入させるから、通常運転モードにおいてそれらグループ毎に熱源水を供給する場合と比較し、熱源水の供給量を最大で半分にすることができ、それらグループに供給される熱源水の供給量や熱源水を供給する熱源水ポンプの出力を空調負荷に応じて減少させることができる。このシステムは、それらグループに設置された各水熱源ヒートポンプユニットの機能を維持した状態で熱源水ポンプの動力を低減させることができ、システム全体の省エネルギー化を図ることができる。
【００１７】
システムの熱源水冷却運転において、温度センサから出力された熱源水の温度が設定温度よりも高い場合、通常運転モードを実行し、温度センサから出力された熱源水の温度が設定温度よりも低い場合、省エネ運転モードを実行する水熱源ヒートポンプユニット配管システムは、一方のグループにおいて熱交換された熱源水の温度が設定値よりも低い場合、その熱源水を還り主管から熱源装置に戻すことなく、その熱源水を他方のグループの各ユニットに流入させるから、その熱源水を他方のグループの各ユニットの冷房運転や暖房運転、送風運転に再利用することができる。システムは、省エネ運転モードにおいて、一方のグループの各ユニットにおいて熱交換された熱源水を他方のグループの各ユニットに流入させ、その熱源水の熱エネルギーを他方のグループの各ユニットの冷房運転や暖房運転、送風運転に利用するから、通常運転モードにおいてそれらグループ毎に熱源水を供給する場合と比較し、熱源水の供給量を最大で半分にすることができ、それらグループに供給される熱源水の供給量や熱源水を供給する熱源水ポンプの出力を空調負荷に応じて減少させることができる。このシステムは、それらグループに設置された各水熱源ヒートポンプユニットの機能を維持した状態で熱源水ポンプの動力を低減させることができ、システム全体の省エネルギー化を図ることができる。
【００１８】
システムの熱源水加熱運転において、温度センサから出力された熱源水の温度が設定温度よりも低い場合、通常運転モードを実行し、温度センサから出力された熱源水の温度が設定温度よりも高い場合、省エネ運転モードを実行する水熱源ヒートポンプユニット配管システムは、一方のグループにおいて熱交換された熱源水の温度が設定値よりも高い場合、その熱源水を還り主管から熱源装置に戻すことなく、その熱源水を他方のグループの各ユニットに流入させるから、その熱源水を他方のグループの各ユニットの冷房運転や暖房運転、送風運転に再利用することができる。システムは、省エネ運転モードにおいて、一方のグループの各ユニットにおいて熱交換された熱源水を他方のグループの各ユニットに流入させ、その熱源水の熱エネルギーを他方のグループの各ユニットの冷房運転や暖房運転、送風運転に利用するから、通常運転モードにおいて一方のグループ毎や他方のグループ毎に熱源水を供給する場合と比較し、熱源水の供給量を最大で半分にすることができ、それらグループに供給される熱源水の供給量や熱源水を供給する熱源水ポンプの出力を空調負荷に応じて減少させることができる。このシステムは、それらグループに設置された各水熱源ヒートポンプユニットの機能を維持した状態で熱源水ポンプの動力を低減させることができ、システム全体の省エネルギー化を図ることができる。
【００１９】
省エネ運転モードにおいて、一方のグループの各ユニットにおいて熱交換された熱源水をその一方のグループの各空調スペースに延びる還り枝管からバイパス管に流入させ、一方のグループの各空調スペースに延びる還り枝管に流れる熱源水をバイパス管を介して他方のグループの各空調スペースに延びる送り枝管に流入させる水熱源ヒートポンプユニット配管システムは、省エネ運転モードにおいて、一方のグループの各ユニットにおいて熱交換された熱源水を還り主管から熱源装置に戻すことなく、その熱源水を他方のグループの各ユニットに流入させることができ、その熱源水を他方のグループの各ユニットの冷房運転や暖房運転、送風運転に再利用することができる。システムは、省エネ運転モードにおいて、一方のグループの各ユニットにおいて熱交換された熱源水を他方のグループの各ユニットに流入させ、その熱源水の熱エネルギーを他方のグループの各ユニットの冷房運転や暖房運転、送風運転に利用するから、通常運転モードにおいて一方のグループ毎や他方のグループ毎に熱源水を供給する場合と比較し、熱源水の供給量を最大で半分にすることができ、それらグループに供給される熱源水の供給量や熱源水を供給する熱源水ポンプの出力を空調負荷に応じて減少させることができる。このシステムは、それらグループに設置された各水熱源ヒートポンプユニットの機能を維持した状態で熱源水ポンプの動力を低減させることができ、システム全体の省エネルギー化を図ることができる。
【００２０】
省エネ運転モードにおいて、一方のグループの各ユニットにおいて熱交換された熱源水をその一方のグループと他方のグループとの間に延びる還り主管からバイパス管に流入させ、一方のグループと他方のグループとの間に延びる還り主管に流れる熱源水をバイパス管を介して他方のグループの各ユニットに延びる枝管がつながる送り主管に流入させる水熱源ヒートポンプユニット配管システムは、省エネ運転モードにおいて、一方のグループや他方のグループが複数のグループから形成されている場合、それら一方のグループの各ユニットにおいて熱交換された熱源水を還り主管から熱源装置に戻すことなく、その熱源水をそれら他方のグループの各ユニットに流入させることができ、その熱源水をそれら他方のグループの各ユニットの冷房運転や暖房運転、送風運転に再利用することができる。システムは、省エネ運転モードにおいて、それら一方のグループの各ユニットにおいて熱交換された熱源水をそれら他方のグループの各ユニットに流入させ、その熱源水の熱エネルギーをそれら他方のグループの各ユニットの冷房運転や暖房運転、送風運転に利用するから、通常運転モードにおいてそれら一方のグループ毎やそれら他方のグループ毎に熱源水を供給する場合と比較し、熱源水の供給量を最大で半分にすることができ、それらグループに供給される熱源水の供給量や熱源水を供給する熱源水ポンプの出力を空調負荷に応じて減少させることができる。このシステムは、それらグループに設置された各水熱源ヒートポンプユニットの機能を維持した状態で熱源水ポンプの動力を低減させることができ、システム全体の省エネルギー化を図ることができる。
【００２１】
一方のグループの送り枝管と還り枝管とに流れる熱源水の流量と他方のグループの送り枝管と還り枝管とに流れる熱源水の流量とを同一にする流量補償機構がグループの枝管に設置された水熱源ヒートポンプユニット配管システムは、一方のグループの枝管に流れる熱源水の流量と他方のグループの枝管に流れる熱源水の流量とが異なると、一方のグループの各ユニットにおいて熱交換された熱源水をバイパス管を介して他方のグループの各ユニットに流入させた場合、流量の多いグループの各ユニットが流量の少ないグループの影響を受け、流量の多いグループの各ユニットにおいて過少流量トラブルが発生する。しかし、このシステムは、流量補償機構によってそれらグループの枝管に流れる熱源水の流量を同一にするから、一方のグループの各ユニットにおいて熱交換された熱源水をバイパス管を介して他方のグループの各ユニットに流入させたときに、流量の少ないグループが流量の多いグループの流量を補償することで、両グループの各ユニットにおける過少流量トラブルの発生を防ぐことができる。
【００２２】
主管に流れる熱源水の圧力を測定し、測定した圧力を制御機構に出力する圧力センサを含み、制御機構が圧力センサから出力された熱源水の圧力に基づいて熱源水ポンプの供給量を調節する水熱源ヒートポンプユニット配管システムは、省エネ運転モード時において、圧力センサから出力された熱源水の圧力に基づいて熱源水ポンプの供給量を確実に調節することができ、それらグループに供給される熱源水の供給量や熱源水を供給する熱源水ポンプの出力を空調負荷に応じて確実に減少させることができる。
【００２３】
グループのうちの送り主管から供給される熱源水が最後に流れる末端グループの枝管に圧力センサが設置され、その圧力センサが末端グループの枝管の末端差圧を測定するとともに、測定した末端差圧を制御機構に出力する水熱源ヒートポンプユニット配管システムは、省エネ運転モード時において、圧力センサから出力された熱源水の末端差圧圧力に基づいて熱源水ポンプの供給量を確実に調節することができ、それらグループに供給される熱源水の供給量や熱源水を供給する熱源水ポンプの出力を空調負荷に応じて確実に減少させることができるのみならず、その圧力センサが末端差圧を検出することで、すべてのグループの枝管に熱源水が確実に流れていることを判断することができる。
【図面の簡単な説明】
【００２４】
【図１】一例として示す水熱源ヒートポンプユニット配管システムの概略構成図。
【図２】熱源水冷却運転時における通常運転モードと省エネ運転モードとの切り替えのタイミングや熱源水加熱運転時における通常運転モードと省エネ運転モードとの切り替えのタイミングを説明する図。
【図３】通常運転モードと省エネ運転モードとにおける熱源水ポンプの流量と装置抵抗との関係を示す図。
【図４】他の一例として示す水熱源ヒートポンプユニット配管システムの概略構成図。
【図５】他の一例として示す水熱源ヒートポンプユニット配管システムの概略構成図。
【図６】他の一例として示す水熱源ヒートポンプユニット配管システムの概略構成図。
【発明を実施するための形態】
【００２５】
一例として示す水熱源ヒートポンプユニット配管システムの概略構成図である図１等の添付の図面を参照し、本発明にかかる水熱源ヒートポンプユニット配管システムの詳細を説明すると、以下のとおりである。なお、図２は、熱源水冷却運転時における通常運転モードと省エネ運転モードとの切り替えのタイミングや熱源水加熱運転時における通常運転モードと省エネ運転モードとの切り替えのタイミングを説明する図であり、図３は、通常運転モードと省エネ運転モードとにおける熱源水ポンプ１３の流量と装置抵抗との関係を示す図である。
【００２６】
図１は、建物の内部に設置された水熱源ヒートポンプユニット配管システム１０Ａのみを示し、建物自体や建物に施設された各空調対象室（各空調スペース）の図示は省略している。なお、図１では４階建ての建物を図示しているが、建物の階層に特に限定はない。また、建物の各階に施設される各空調対象室の戸数についても特に限定はない。空調スペースとして室を例示しているが、空調スペースには室のみならず、建物の内部に作られるホールやフロア、食堂等のあらゆる空調スペースが含まれる。
【００２７】
水熱源ヒートポンプユニット配管システム１０Ａは、建物の屋上に設置された冷却塔１１（熱源水冷却装置）（熱源装置）と、地上（屋上も可）に設置された温水機１２（熱源水加熱装置）（熱源装置）と、熱源水を送出する熱源水ポンプ１３と、各階の各空調対象室に設置された水熱源マルチ型ヒートポンプユニット１４ａ〜１４ｄと、熱源水を循環させる主管１５および枝管１６とを備えている。主管１５は、熱源水を枝管１６に送る送り主管１５ａと、熱源水を冷却塔１１や温水機１２に戻す還り主管１５ｂとに区分されている。枝管１６は、熱源水を各ユニット１４ａ〜１４ｄに送る送り枝管１６ａと、熱源水を還り主管１５ｂに戻す還り枝管１６ｂとに区分されている。
【００２８】
水熱源ヒートポンプユニット配管システム１０Ａでは、図１に示すように、各階毎に設置された水熱源マルチ型ヒートポンプユニット１４ａ〜１４ｄを一纏めにした空調対象グループ１８〜２１が画成されている。図１の建物では、１階のユニット１４ａを一纏めにした第１空調対象グループ１８（以下、第１グループ）、２階のユニット１４ｂを一纏めにした第２空調対象グループ１９（以下、第２グループ）、３階のユニット１４ｃを一纏めにした第３空調対象グループ２０（以下、第３グループ）、４階のユニット１４ｄを一纏めにした第４空調対象グループ２１（以下、第４グループ）が作られている。なお、図１のシステム１０Ａでは、建物の各階に区分して各階毎のグループ１８〜２１が作られているが、各階のそれらユニット１４ａ〜１４ｄを各階毎に区分して各階毎に複数のグループが作られていてもよい。たとえば、１階のユニット１４ａを所定数一纏めにして１階に２以上のグループが作られていてもよい。
【００２９】
冷却塔１１には、密閉式のそれを使用することができる。冷却塔１１は、送り主管１５ａと還り主管１５ｂとに接続され、外気との熱交換によってそこに流入した熱源水を冷却する。冷却塔１１には、温度指示調節計２２が接続され、散水ポンプ２３が設置されている。冷却塔１１の近傍に延びる還り主管１５ｂには、切替弁２４が設置され、冷却塔１１の近傍に延びる送り主管１５ａには、温度センサ２５が設置されている。冷却塔１１の近傍には、還り主管１５ｂと戻り主管１５ａとを接続するバイパス管２６が接続されている。バイパス管２６には、切替弁２７が設置されている。
【００３０】
システム１０Ａにおける熱源水冷却運転時には、切替弁２７の弁機構が閉鎖され、切替弁２４の弁機構が開放され、還り主管１５ｂから冷却塔１１に熱源水が流入し、冷却塔１１において熱源水が冷却され、冷却された熱源水が冷却塔１１から送り主管１５ａに流出する。システム１０Ａにおける熱源水加熱運転時には、切替弁２４の弁機構が閉鎖され、切替弁２７の弁機構が開放され、熱源水がバイパス管２６を通って、還り主管１５ｂから送り主管１５ａに流れ、冷却塔１１への熱源水の流入が停止する。
【００３１】
温度センサ２５は、温度指示調節計２２にインターフェイスを介して接続され、送り主管１５ａに流れる熱源水の温度を測定し、測定した温度を温度指示調節計２２に出力する。温度指示調節計２２は、ＭＰＵとメモリとを有し、温度センサ２５から出力された温度を所定の周期でサンプリングしつつ、冷却塔１１に流れる熱源水の温度を調節する。たとえば、熱源水冷却運転時において、温度指示調節計２２は、温度センサ２５から出力された熱源水の温度が設定温度の範囲よりも低くなると、冷却塔１１のファンの稼動を停止させ、逆に、熱源水の温度が設定温度の範囲を超えると、冷却塔１１のファンを再び稼動させ、冷却塔１１を介して熱源水を所定温度まで冷却し、冷却した熱源水を送り主管１５ａに流入させる。
【００３２】
温水機１２は、送り主管１５ａと還り主管１５ｂとに接続されている。温水機１２は、燃焼制御機構を有し、燃料（ガスや油等）の燃焼熱によってそこに流入した熱源水を加熱する。温水機１２には、温度指示調節計２８が接続されている。温水機１２の近傍に延びる還り主管１５ｂには、切替弁２９が設置され、温水機１２の近傍に延びる送り主管１５ａには、温度センサ３０が設置されている。温水機１２の近傍には、還り主管１５ｂと戻り主管１５ａとを接続するバイパス管３１が接続されている。バイパス管３１には、切替弁３２が設置されている。なお、温水機１２に変えて熱交換器等の温熱源を利用することもできる。
【００３３】
システム１０Ａにおける熱源水加熱運転時には、切替弁３２の弁機構が閉鎖され、切替弁２９の弁機構が開放され、還り主管１５ｂから温水機１２に熱源水が流入し、温水機１２において熱源水が加熱され、加熱された熱源水が温水機１２から送り主管１５ａに流出する。システム１０Ａにおける熱源水冷却運転時には、切替弁２９の弁機構が閉鎖され、切替弁３２の弁機構が開放され、熱源水がバイパス管３１を通って、還り主管１５ｂから送り主管１５ａに流れ、温水機１２への熱源水の流入が停止する。
【００３４】
温度センサ３０は、温度指示調節計２８にインターフェイスを介して接続され、送り主管１５ａに流れる熱源水の温度を測定し、測定した温度を温度指示調節計２８に出力する。温度指示調節計２８は、ＭＰＵとメモリとを有し、温度センサ３０から出力された温度を所定の周期でサンプリングしつつ、温水機１２を発停制御（ＯＮ／ＯＦＦ制御）する。たとえば、熱源水加熱運転時において、温度指示調節計２８は、温度センサ３０から出力された熱源水の温度が設定温度の範囲よりも高くなると、温水機１２を停止し、逆に、熱源水の温度が設定温度の範囲よりも低くなると、温水機１２を運転する。運転中の温水機１２は、その燃焼制御機構によって熱源水を所定温度まで加熱し、加熱した熱源水を送り管１５ａに流入させる。
【００３５】
熱源水ポンプ１３は、送り主管１５ａに設置され、冷却塔１１によって冷却された熱源水または温水機１２によって加熱された熱源水を主管１５および枝管１６に供給する。熱源水ポンプ１３には、インターフェイスを介してインバータ装置６８（制御機構）が接続されている。熱源水ポンプ１３は、インバータ装置６８のインバータ制御によってその出力（熱源水の供給量）が変わる。インバータ装置６８は、圧力指示調節計３３（制御機構）にインターフェイスを介して接続されている。熱源水ポンプ１３の近傍に延びる送り主管１５ａには、圧力センサ３４が設置されている。圧力センサ３４は、圧力指示調節計３３にインターフェイスを介して接続され、送り主管１５ａに流れる熱源水の圧力を測定し、測定した圧力を圧力指示調節計３３に出力する。
【００３６】
圧力指示調節計３３は、ＭＰＵとメモリとを有し、圧力センサ３４から出力される圧力を所定の周期でサンプリングするとともに、熱源水ポンプ１３に接続されたインバータ装置６８に制御信号を出力する。圧力指示調節計３３のメモリには、システム１０Ａの通常運転モード時（通常流量）における熱源水ポンプ１３の定格出力（設定情報）が格納されている。また、送り主管１５ａに流れる熱源水の流量と熱源水の圧力との相関関係、送り主管１５ａ内に流れる熱源水の圧力と熱源水ポンプ１３の出力との相関関係が格納されている。
【００３７】
水熱源マルチ型ヒートポンプユニット１４ａ〜１４ｄは、第１〜第４グループ１８〜２１の各空調対象室に設置されている。それらユニット１４ａ〜１４ｄは、枝管１６に接続されている。枝管１６は、送り主管１５ａからそれらグループ１８〜２１毎に分岐してそれらグループ１８〜２１の各空調対象室に延びている。それらユニット１４ａ〜１４ｄは、枝管１６のうちの送り枝管１６ａに接続された熱源水流入管３５と、枝管１６のうちの還り枝管１６ｂに接続された熱源水流出管３６とを有する。それらユニット１４ａ〜１４ｄは、熱源水流入管３５から取り入れた熱源水を利用して冷房運転または暖房運転を行うとともに、送風運転を行う。
【００３８】
第１グループ１８の還り枝管１６ｂ（還り主管１５ｂの近傍に延びる還り枝管１６ｂ）には、そこに流れる熱源水の温度を測定する温度センサ３７が設置されている。第１および第２グループ１８，１９の枝管１６の間には、温度指示調節計３８（制御機構）が設置されている。第１グループ１８（一方のグループ）の還り枝管１６ｂと第２グループ１９（他方のグループ）の送り枝管１６ａとには、熱源水を枝管１６ｂから枝管１６ａに流入させるバイパス管３９が接続されている。
【００３９】
バイパス管３９は、還り主管１５ｂとその主管１５ｂの直近に位置するユニット１４ａとの間に延びる還り枝管１６ｂにつながっているとともに（還り主管１６ｂの近傍に接続）、送り主管１５ａとその主管１５ａの直近に位置するユニット１４ｂとの間に延びる送り枝管１６ａにつながっている（送り主管１５ａの近傍に接続）。バイパス管３９には、切替弁４０が設置されている。還り主管１５ｂとバイパス管３９との間に延びる第１グループ１８の還り枝管１６ｂには、切替弁４１が設置されている。送り主管１５ａとバイパス管３９との間に延びる第２グループ１９の送り枝管１６ａには、切替弁４２が設置されている。
【００４０】
温度センサ３７やそれら切替弁４０〜４２は、インターフェイスを介して温度指示調節計３８に接続されている。温度センサ３７は、還り枝管１６ｂに流れる熱源水の温度を測定し、測定した温度を温度指示調節計３８に出力する。温度指示調節計３８は、ＭＰＵとメモリとを有し、温度センサ３７から出力された温度を所定の周期でサンプリングするとともに、切替弁４０〜４２に対してＯＮ／ＯＦＦ制御を実行する。
【００４１】
第３グループ２０の還り枝管１６ｂ（還り主管１５ｂの近傍に延びる還り枝管１６ｂ）には、そこを流れる熱源水の温度を測定する温度センサ４３が設置されている。第３および第４グループ２０，２１の枝管１６の間には、温度指示調節計４４（制御機構）が設置されている。第３グループ２０（一方のグループ）の還り枝管１６ｂと第４グループ２１（他方のグループ）の送り枝管１６ａとには、熱源水を枝管１６ｂから枝管１６ａに流入させるバイパス管４５が接続されている。
【００４２】
バイパス管４５は、還り主管１５ｂとその主管１５ｂの直近に位置するユニット１４ｃとの間に延びる還り枝管１６ｂにつながっているとともに（還り主管１６ｂの近傍に接続）、送り主管１５ａとその主管１５ａの直近に位置するユニット１４ｄとの間に延びる送り枝管１６ｂにつながっている（送り主管１５ａの近傍に接続）。バイパス管４５には、切替弁４６が設置されている。還り主管１５ｂとバイパス管４５との間に延びる第３グループ２０の還り枝管１６ｂには、切替弁４７が設置されている。送り主管１５ａとバイパス管４５との間に延びる第４グループ２１の送り枝管１６ａには、切替弁４８が設置されている。
【００４３】
温度センサ４３やそれら切替弁４６〜４８は、インターフェイスを介して温度指示調節計４４に接続されている。温度センサ４３は、還り枝管１６ｂに流れる熱源水の温度を測定し、測定した温度を温度指示調節計４４に出力する。温度指示調節計４４は、ＭＰＵとメモリとを有し、温度センサ４３から出力された温度を所定の周期でサンプリングするとともに、切替弁４６〜４８に対してＯＮ／ＯＦＦ制御を実行する。
【００４４】
それら水熱源マルチ型ヒートポンプユニット１４ａ〜１４ｄは、図示はしていないが、圧縮機、四方弁、空気側熱交換器、膨張弁、熱源水側熱交換器、給気ファンを備えている。圧縮機は、インバータ制御によってその出力（周波数）を変えることができる。圧縮機には、流入管と流出管とが接続されている。流入管は、熱媒を圧縮機に流入させ、流出管は、熱媒を圧縮機から流出させる。空気側熱交換器は、ユニット１４ａ〜１４ｄを循環する熱媒と外気とを熱交換させるとともに、熱媒と室内空気とを熱交換させる。熱源水側熱交換器は、熱源水と熱媒とを熱交換させる。
【００４５】
それらユニット１４ａ〜１４ｄでは、圧縮機、空気側熱交換器、膨張弁、熱源水側熱交換器を熱媒が循環して冷凍サイクルを形成する。ユニット１４ａ〜１４ｄにおける冷房運転では、空気側熱交換器によって熱媒を蒸発させる冷凍サイクルが行われる。ユニット１４ａ〜１４ｄにおける暖房運転では、空気側熱交換器によって熱媒を凝縮させる冷凍サイクルが行われる。なお、ユニット１４ａ〜１４ｄの送風運転では、圧縮機を停止し、熱媒の循環を停止しつつ、給気ファンによって室内空気と外気との混合気を給気口から室内に給気する（特許文献１参照）。
【００４６】
温度指示調節計３８，４４のメモリには、熱源水冷却運転時に通常運転モードと省エネ運転モードとのいずれかを行う基準値となる熱源水の第１設定温度が格納され、熱源水加熱運転時における通常運転モードと省エネ運転モードとのいずれかを行う基準値となる熱源水の第２設定温度が格納されている。なお、第１および第２設定温度は自由に変更することができる。
【００４７】
温度指示調節計３８，４４は、熱源水冷却運転時において、温度センサ３７，４３から出力された熱源水の測定温度とメモリに格納された第１設定温度とを比較する。温度指示調節計３８，４４は、測定温度と第１設定温度とを比較した結果、測定温度が第１設定温度よりも高い場合、システム１０Ａの通常運転モードを行い、測定温度が第１設定温度よりも低い場合、システム１０Ａの省エネ運転モードを行う。
【００４８】
温度指示調節計３８，４４は、熱源水加熱運転時において、温度センサ３７，４３から出力された熱源水の測定温度とメモリに格納された第２設定温度とを比較する。温度指示調節計３８，４４は、測定温度と第２設定温度とを比較した結果、測定温度が第２設定温度よりも低い場合、システム１０Ａの通常運転モードを行い、測定温度が第２設定温度よりも高い場合、システム１０Ａの省エネ運転モードを行う。
【００４９】
システム１０Ａの通常運転モードでは、熱源水ポンプ１３の供給量（出力）が定格流量（定格出力）に保持され、ポンプ１３から供給された熱源水が送り主管１５ａからそれらグループ１８〜２１の各空調対象室に延びる送り枝管１６ａに流入するとともに、それらグループ１８〜２１の各ユニット１４ａ〜１４ｄにおいて熱交換された熱源水がそれらグループ１８〜２１の各空調対象室に延びる還り枝管１６ｂから還り主管１５ｂに流入する。
【００５０】
システム１０Ａの省エネ運転モードでは、第１および第３グループ１８，２０の各ユニット１４，１４ｃにおいて熱交換された熱源水がバイパス管３９，４５を介して第２および第４グループ１９，２１の各ユニット１４ｂ，１４ｄに流入し、その熱源水の熱エネルギーが第２および第４グループ１９，２１の各ユニット１４ｂ，１４ｄにおいて再び利用される。その結果、主管１５ａ内に流れる熱源水の圧力が上がり、圧力指示調節計３３の指示によってインバータ装置６８がインバータ制御を行い、熱源水ポンプ１３の供給量（出力）が定格流量（定格出力）よりも少ない流量になる。
【００５１】
図１のシステム１０Ａにおける熱源水冷却運転時の通常運転モードおよび省エネ運転モードを説明すると、以下のとおりである。熱源水冷却運転においてシステム１０Ａでは、最初に通常運転モードが行われる。熱源水冷却運転では、冷却塔１１が稼動し、温水機１２が停止しているとともに、それらグループ１８〜２１の各水熱源マルチ型ヒートポンプユニット１４ａ〜１４ｄが冷房運転や暖房運転、送風運転のいずれかで運転される。熱源水冷却運転時における通常運転モードでは、熱源水が冷却塔１１で冷却され、冷却された熱源水が熱源水ポンプ１３によって供給され、熱源水が送り主管１５ａを通って送り枝管１６ａに進入する。
【００５２】
システム１０Ａの通常運転モードでは、熱源水がバイパス管３９，４５に流入しないように、切替弁４１，４２，４７，４８が開放され、切替弁４０，４６が閉鎖される。温度指示調節計３８，４４は、切替弁４１，４２，４７，４８の弁機構を開放し、切替弁４０，４６の弁機構を閉鎖する。
【００５３】
通常運転モードでは、熱源水ポンプ１３の出力（供給量）が定格出力（定格流量）（通常流量）に保持される。送り主管１５ａを通る熱源水の圧力は、圧力センサ３４によって測定され、その測定圧力がセンサ３４から圧力指示調節計３３に出力される。圧力指示調節計３３は、送り主管１５ａに流れる熱源水の流量と熱源水の圧力との相関関係とに測定圧力を当て嵌め、その測定圧力による熱源水の流量を求め、流量が定格流量であるかを判断する。
【００５４】
具体的には、たとえば、第１〜第４グループ１８〜２１の各枝管１６に流れる熱源水の流量を２５Ｌ／minとした場合、熱源水ポンプ１３の供給量を２５Ｌ／min×４の１００Ｌ／minに保持する。１００Ｌ／minが定格流量である場合、圧力指示調節計３３は、その流量を保持する。流量が定格流量ではない場合、圧力指示調節計３３は、流量を必要最低限の流量にするため、熱源水ポンプ１３の出力をインバータ装置６８によって制御し、ポンプ１３の出力を変更する。
【００５５】
通常運転モードにおいて熱源水は、送り主管１５ａからそれらグループ１８〜２１の送り枝管１６ａに流入し、送り枝管１６ａからそれらユニット１４ａ〜１４ｄの熱源水流入管３５に流入して各ユニット１４ａ〜１４ｄに進入する。それらユニット１４ａ〜１４ｄにおいて熱交換された熱源水は、ユニット１４ａ〜１４ｄの熱源水流出管３６に流入し、還り枝管１６ｂを通って還り主管１５ｂに流入する。還り主管１５ｂに流入した熱源水は、還り主管１５ｂから冷却塔１１に進入し、冷却塔１１によって冷却され、再び送り主管１５ａに流入する。
【００５６】
各ユニット１４ａ〜１４ｄにおいて熱交換された熱源水の温度は、それらユニット１４ａ〜１４ｄに進入する以前の熱源水のそれよりも高い。還り枝管１６ｂに流れる熱源水の温度は、温度センサ３７，４３によって測定され、その測定温度がセンサ３７，４３から温度指示調節計３８，４４に出力される。
【００５７】
温度指示調節計３８，４４は、熱源水の測定温度と第１設定温度とを比較し、図２に示すように、測定温度が第１設定温度よりも高い場合、システム１０Ａの通常運転モードを継続する。なお、通常運転モードにおいて、各ユニット１４ａ〜１４ｄから流出して還り主管１５ｂに流入した熱源水は、還り主管１５ｂから冷却塔１１に進入し、冷却塔１１によって冷却され、再び送り主管１５ａに流入する。測定温度が第１設定温度よりも低くなると、温度指示調節計３８，４４は、通常運転モードから省エネ運転モードに切り替える。第１設定温度は、２５℃〜３２℃の範囲で設定することが好ましい。
【００５８】
システム１０Ａの省エネ運転モードでは、熱源水がバイパス管３９，４５を流れるように、切替弁４０，４６が開放され、切替弁４１，４２，４７，４８が閉鎖される。温度指示調節計３８，４４は、切替弁４０，４６の弁機構を開放し、切替弁４１，４２，４７，４８の弁機構を閉鎖する。
【００５９】
省エネ運転モードにおいて熱源水は、送り主管１５ａから第１グループ１８の送り枝管１６ａに流入し、送り枝管１６ａから第１グループ１８のそれらユニット１４ａの熱源水流入管３５に流入して各ユニット１４ａに進入するとともに、送り主管１５ａから第３グループ２０の送り枝管１５ａに流入し、送り枝管１５ａから第３グループ２０のそれらユニット１４ｃの熱源水流入管３５に流入して各ユニット１４ｃに進入する。
【００６０】
第１グループ１８のそれらユニット１４ａにおいて熱交換された熱源水は、ユニット１４ａの熱源水流出管３６に流入し、還り枝管１６ｂを通ってバイパス管３９に流入し、バイパス管３９から第２グループ１９の送り枝管１６ａに流入する。さらに、送り枝管１６ａから第２グループ１９のそれらユニット１４ｂの熱源水流入管３５に流入して各ユニット１４ｂに進入する。第２グループ１９のそれらユニット１４ｂにおいて熱交換された熱源水は、ユニット１４ｂの熱源水流出管３５に流入し、還り枝管１６ｂを通って還り主管１５ｂに流入する。
【００６１】
第３グループ２０のそれらユニット１４ｃにおいて熱交換された熱源水は、ユニット１４ｃの熱源水流出管３６に流入し、還り枝管１６ｂを通ってバイパス管４５に流入し、バイパス管４５から第４グループ２１の送り枝管１６ａに流入する。さらに、送り枝管１６ａから第４グループ２１のそれらユニット１４ｄの熱源水流入管３５に流入して各ユニット１４ｄに進入する。第４グループ２１のそれらユニット１４ｄにおいて熱交換された熱源水は、ユニット１４ｄの熱源水流出管３５に流入し、還り枝管１６ｂを通って還り主管１５ｂに流入する。
【００６２】
省エネ運転モードでは、第１〜第４グループ１８〜２１の枝管１６に流れる熱源水の流量が減少し、その結果、主管１５ａ内に流れる熱源水の圧力が上がる。送り主管１５ａを通る熱源水の測定圧力がセンサ３４から圧力指示調節計３３に出力された後、圧力指示調節計３３は、送り主管１５ａ内に流れる熱源水の圧力と熱源水ポンプ１３の出力（熱源水供給量）との相関関係に測定圧力を当て嵌め、その測定圧力に対応する熱源水ポンプ１３の出力を求め、ポンプ１３をインバータ装置６８によってインバータ制御してポンプ１３の出力を求めた出力（定格出力よりも少ない出力）に変更する。熱源水ポンプ１３の熱源水供給量は、定格流量（通常流量）よりも少ない流量に保持される。
【００６３】
具体的には、たとえば、第１〜第４グループ１８〜２１の枝管１６に流れる熱源水の流量を２５Ｌ／minとした場合、第１グループ１８の各空調対象室に延びる枝管１６から第２グループ１９の各空調対象室に延びる枝管１６に熱源水を流入させることで、第１グループ１８と第２グループ１９と合わせた熱源水の流量が２５Ｌ／minとなり、第３グループ２０の各空調対象室に延びる枝管１６から第４グループ２１の各空調対象室に延びる枝管１６に熱源水を流入させることで、第３グループ２０と第４グループ２１と合わせた熱源水の流量が２５Ｌ／minとなる。したがって、通常運転モード時の熱源水の供給量１００Ｌ／minに対して省エネ運転モード時の熱源水の供給量は、その半分の５０Ｌ／minになる。圧力指示調節計３３は、熱源水ポンプ１３の出力をインバータ装置６８によって制御し、図３に示すように、ポンプ１３の出力を１００％からＮ％に減少させ、ポンプ１３の熱源水供給量を１００Ｌ／minから５０Ｌ／minに変更し、その供給量を保持する。
【００６４】
温度指示調節計３８，４４は、熱源水の測定温度と第１設定温度とを比較し、図２に示すように、測定温度が第１設定温度よりも低い場合、システム１０Ａの省エネ運転モードを継続する。省エネ運転モードにおいて、各ユニット１４ａ〜１４ｄから流出して還り主管１５ｂに流入した熱源水は、還り主管１５ｂから冷却塔１１に進入し、冷却塔１１によって冷却され、再び送り主管１５ａに流入する。測定温度が第１設定温度よりも高くなると、温度指示調節計３８，４４は、省エネ運転モードから通常運転モードに切り替え、上述した通常運転モードを行う。
【００６５】
なお、第１および第２グループにおいて省エネ運転モードを行い、第３および第４グループにおいて通常運転モードを行うこともできる。また、第３および第４グループにおいて省エネ運転モードを行い、第１および第２グループにおいて通常運転モードを行うこともできる。第１および第２グループにおいて省エネ運転モードを行い、第３および第４グループにおいて通常運転モードを行う場合、第１グループ１８と第２グループ１９と合わせた熱源水の流量が２５Ｌ／minとなり、通常運転モード時の熱源水の供給量１００Ｌ／minに対して省エネ運転モード時の熱源水の供給量が７５Ｌ／minになる。圧力指示調節計３３は、熱源水ポンプ１３の出力をインバータ装置６８によって制御し、ポンプ１３の出力を１００％からＮ％に減少させ、ポンプ１３の熱源水供給量を１００Ｌ／minから７５Ｌ／minに変更し、その供給量を保持する。
【００６６】
水熱源ヒートポンプユニット配管システム１０Ａは、システム１０Ａの熱源水冷却運転において、温度センサ３７，４３から出力された熱源水の温度が第１設定温度よりも低い場合、システム１０Ａの省エネ運転モードを実行し、省エネ運転モードにおいて、第１および第３グループ１８，２０の各ユニット１４ａ，１４ｃにおいて熱交換された熱源水をバイパス管３９，４５を介して第２および第４グループ１９，２１の各ユニット１４ｂ，１４ｄに流入させ、その熱源水の熱エネルギーを第２および第４グループ１９，２１の各ユニット１４ｂ，１４ｄにおいて再び利用するから、第１および第３グループ１８，２０において熱交換された熱源水を還り主管１５ｂから冷却塔１１に戻すことなく、その熱源水の熱エネルギーを第２および第４グループ１９，２１の各ユニット１４ｂ，１４ｄの冷房運転や暖房運転、送風運転に再利用することができる。
【００６７】
次に、図１のシステム１０Ａにおける熱源水加熱運転時の通常運転モードおよび省エネ運転モードを説明する。熱源水加熱運転においてシステム１０Ａは、熱源水冷却運転と同様に、最初に通常運転モードを行う。熱源水加熱運転では、温水機１２が稼動し、冷却塔１１が停止しているとともに、それらグループ１８〜２１の各水熱源マルチ型ヒートポンプユニット１４ａ〜１４ｄが冷房運転や暖房運転、送風運転のいずれかで運転される。熱源水加熱運転時における通常運転モードでは、熱源水が温水機１２で加熱され、加熱された熱源水が熱源水ポンプ１３によって供給され、熱源水が送り主管１５ａを通って送り枝管１６ａに進入する。
【００６８】
システム１０Ａの通常運転モードでは、熱源水がバイパス管３９，４５に流入しないように、切替弁４１，４２，４７，４８が開放され、切替弁４０，４６が閉鎖される。温度指示調節計３８，４４は、切替弁４１，４２，４７，４８の弁機構を開放し、切替弁４０，４６の弁機構を閉鎖する。通常運転モードでは、熱源水ポンプ１３の出力（供給量）が定格出力（定格流量）（通常流量）に保持される。送り主管１５ａを通る熱源水の測定圧力は、センサ３４から圧力指示調節計３３に出力される。圧力指示調節計３３は、熱源水冷却運転時と同様に、測定圧力による熱源水の流量を求め、流量が定格流量であるかを判断する。流量が定格流量である場合、圧力指示調節計３３は、その流量を保持する。流量が定格流量ではない場合、圧力指示調節計３３は、流量を必要最低限の流量にするため、熱源水ポンプ１３の出力をインバータ装置６８によって制御し、ポンプ１３の出力を変更する。
【００６９】
通常運転モードにおける熱源水の流通経路は熱源水冷却運転時における通常運転モードのそれと同一であるから、その説明は省略する。各ユニット１４ａ〜１４ｄにおいて熱交換された熱源水の温度は、ユニット１４ａ〜１４ｄに進入する以前の熱源水のそれよりも低い。還り枝管１６ｂに流れる熱源水の温度は、温度センサ３７，４３によって測定され、その測定温度がセンサ３７，４３から温度指示調節計３８，４４に出力される。
【００７０】
温度指示調節計３８，４４は、熱源水の測定温度と第２設定温度とを比較し、図２に示すように、測定温度が第２設定温度よりも低い場合、システム１０Ａの通常運転モードを継続する。なお、通常運転モードにおいて、各ユニット１４ａ〜１４ｄから流出して還り主管１５ｂに流入した熱源水は、還り主管１５ｂから温水機１２に進入し、温水機１２によって加熱され、再び送り主管１５ａに流入する。測定温度が第２設定温度よりも高くなると、温度指示調節計３８，４４は、通常運転モードから省エネ運転モードに切り替える。第２設定温度は、３５℃〜４５℃の範囲で設定することが好ましい。
【００７１】
システム１０Ａの省エネ運転モードでは、熱源水がバイパス管３９，４５を流れるように、切替弁４０，４６が開放され、切替弁４１，４２，４７，４８が閉鎖される。温度指示調節計３８，４４は、切替弁４０，４６の弁機構を開放し、切替弁４１，４２，４７，４８の弁機構を閉鎖する。省エネ運転モードにおける熱源水の流通経路は熱源水冷却運転時における省エネ運転モードのそれと同一であるから、その説明は省略する。
【００７２】
省エネ運転モードにおいて、送り主管１５ａを通る熱源水の圧力がセンサ３４から圧力指示調節計３３に出力された後、圧力指示調節計３３は、熱源水冷却運転時と同様に、送り主管１５ａ内に流れる熱源水の圧力と熱源水ポンプ１３の出力（熱源水供給量）との相関関係に測定圧力を当て嵌め、その測定圧力に対応する熱源水ポンプ１３の出力を求め、ポンプ１３をインバータ装置６８によってインバータ制御してポンプ１３の出力を求めた出力（定格出力よりも少ない出力）に変更する。熱源水ポンプ１３の熱源水供給量は、定格流量（通常流量）よりも少ない流量に保持される。圧力指示調節計３３は、たとえば、通常運転モード時の熱源水の供給量が１００Ｌ／minである場合、熱源水ポンプ１３をインバータ装置６８によってインバータ制御してポンプ１３の出力を変更し、ポンプ１３の熱源水供給量を１００Ｌ／minから５０Ｌ／minに変更してその供給量を保持する。
【００７３】
温度指示調節計３８，４４は、熱源水の測定温度と第２設定温度とを比較し、図２に示すように、測定温度が第２設定温度よりも高い場合、システム１０Ａの省エネ運転モードを継続する。省エネ運転モードにおいて、各ユニット１４ａ〜１４ｄから流出して還り主管１５ｂに流入した熱源水は、還り主管１５ｂから温水機１２に進入し、温水機１２によって加熱され、再び送り主管１５ａに流入する。測定温度が第２設定温度よりも低くなると、温度指示調節計３８，４４は、省エネ運転モードから通常運転モードに切り替え、上述した通常運転モードを行う。
【００７４】
システム１０Ａは、システム１０Ａの熱源水加熱運転において、温度センサ３７，４３から出力された熱源水の温度が第２設定温度よりも高い場合、システム１０Ａの省エネ運転モードを実行し、省エネ運転モードにおいて、第１および第３グループ１８，２０の各ユニット１４ａ，１４ｃにおいて熱交換された熱源水をバイパス管３９，４５を介して第２および第４グループ１９，２１の各ユニット１４ｂ，１４ｄに流入させ、その熱源水の熱エネルギーを第２および第４グループ１９，２１の各ユニット１４ｂ，１４ｄにおいて再び利用するから、第１および第３グループ１８，２０において熱交換された熱源水を還り主管１５ｂから温水機１２に戻すことなく、その熱源水の熱エネルギーを第２および第４グループ１９，２１の各ユニット１４ｂ，１４ｄの冷房運転や暖房運転、送風運転に再利用することができる。
【００７５】
システム１０Ａは、省エネ運転モードにおいて、第１および第３グループ１８，２０の各ユニット１４ａ，１４ｃにおいて熱交換された熱源水を第２および第４グループ１９，２１の各ユニット１４ｂ，１４ｄに流入させるから、通常運転モードにおいてそれらグループ１８〜２１毎に熱源水を供給する場合と比較し、熱源水の供給量を半分にすることができ、それらグループ１８〜２１に供給される熱源水の供給量が減少する。その結果、熱源水ポンプ１３から供給する熱源水の供給量が定格流量（通常流量）よりも少なくなり、その分、熱源水ポンプ１３の出力を減少させることができる。このシステム１０Ａは、それらグループ１８〜２１に設置された各水熱源ヒートポンプユニット１４ａ〜１４ｄの機能を維持した状態で熱源水ポンプの動力を低減させることができ、システム１０Ａ全体の省エネ化を図ることができる。
【００７６】
図４は、他の一例として示す水熱源ヒートポンプユニット配管システム１０Ｂの概略構成図である。このシステム１０Ｂが図１のそれと異なるところは、バイパス６５が送り主管１５ａと戻り主管１５ｂとに接続されている点、圧力センサ６６が末端グループ（第４グループ２１）の枝管１６に設置されている点にある。このシステム１０Ｂにおける冷却塔１１（熱源水冷却装置）（熱源装置）や温水機１２（熱源水加熱装置）（熱源装置）、熱源水ポンプ１３、水熱源マルチ型ヒートポンプユニット１４ａ〜１４ｄ、主管１５および枝管１６、圧力指示調節計３３（制御機構）、温度指示調節計３８（制御機構）は図１のシステム１０Ａのそれらと同一であるから、図１と同一の符号を付すとともに、図１の説明を援用することで、このシステム１０Ｂにおけるそれらの説明は省略する。
【００７７】
なお、圧力指示調節計３３のメモリには、システム１０Ａの通常運転モード時（通常流量）における熱源水ポンプ１３の定格出力（設定情報）が格納されている。また、送り主管１５ａ内に流れる熱源水の流量と熱源水の圧力との相関関係、送り主管１５ａ内に流れる熱源水の圧力と熱源水ポンプ１３の出力（熱源水供給量）との相関関係が格納されている。さらに、枝管１６内に流れる熱源水の圧力と熱源水ポンプ１３の出力（熱源水供給量）との相関関係が格納されている。温度指示調節計３８のメモリには、熱源水冷却運転時に通常運転モードと省エネ運転モードとのいずれかを行う基準値となる熱源水の第１設定温度が格納され、熱源水加熱運転時における通常運転モードと省エネ運転モードとのいずれかを行う基準値となる熱源水の第２設定温度が格納されている。
【００７８】
図４の建物では、１階の水熱源マルチ型ヒートポンプユニット１４ａを一纏めにした第１グループ１８、２階のユニット１４ｂを一纏めにした第２グループ１９、３階のユニット１４ｃを一纏めにした第３グループ２０、４階のユニット１４ｄを一纏めにした第４グループ２１が作られている。このシステム１０Ｂでは、第１および第２グループ１８，１９が一方のグループとなり、第３および第４グループ２０，２１が他方のグループとなる。
【００７９】
第２グループ１９と第３グループ２０との間に延びる還り主管１５ｂ（一方のグループと他方のグループとの間に延びる還り主管１５ｂ）には、そこを流れる熱源水の温度を測定する温度センサ３７と温度指示調節計３８とが設置されている。第２グループ１９と第３グループ２０との間に延びる送り主管１５ａとそれらグループ１９，２０の間に延びる還り主管１５ｂとには、熱源水を主管１５ｂから主管１５ａに流入させるバイパス管６５が接続されている。
【００８０】
バイパス管６５には、切替弁４０が設置されている。第２グループ１９と第３グループ２０との間であってバイパス管６５の上流側に延びる送り主管１５ａには、切替弁４１が設置されている。第２グループ１９と第３グループ２０との間であってバイパス管６５の下流側に延びる還り主管１５ｂには、切替弁４２が設置されている。温度センサ３７やそれら切替弁４０〜４２は、インターフェイスを介して温度指示調節計３８に接続されている。温度センサ３７は、還り主管１５ｂに流れる熱源水の温度を測定し、測定した温度を温度指示調節計３８に出力する。
【００８１】
圧力センサ６６は、第１〜第４グループ１９〜２１のうちの送り主管１５ａから供給される熱源水が最後に流れる末端グループである第４グループ２１の枝管１６であって、ユニット１４ｄのうちの末端に位置するそれの後に設置されている。圧力センサ６６は、インターフェイスを介して圧力指示調節計３３に接続されている。圧力センサ６６は、第４グループ２１（末端グループ）の枝管１６の末端差圧を計測し、その末端差圧を圧力指示調節計３３に出力する。
【００８２】
図４のシステム１０Ｂにおける熱源水冷却運転時の通常運転モードおよび省エネ運転モードを説明すると、以下のとおりである。熱源水冷却運転においてシステム１０Ｂでは、図１のシステム１０Ａと同様に、最初に通常運転モードが行われる。熱源水冷却運転では、冷却塔１１が稼動し、温水機１２が停止しているとともに、それらグループ１８〜２１の各水熱源マルチ型ヒートポンプユニット１４ａ〜１４ｄが冷房運転や暖房運転、送風運転のいずれかで運転される。熱源水冷却運転時における通常運転モードでは、熱源水が冷却塔１１で冷却され、冷却された熱源水が熱源水ポンプ１３によって供給され、熱源水が送り主管１５ａを通って送り枝管１６ａに進入する。
【００８３】
システム１０Ｂの通常運転モードでは、熱源水が還り主管１５ｂから送り主管１５ａに流入しないように、切替弁４１，４２が開放され、切替弁４０が閉鎖される。温度指示調節計３８は、切替弁４１，４２の弁機構を開放し、切替弁４０の弁機構を閉鎖する。
【００８４】
通常運転モードでは、熱源水ポンプ１３の出力（供給量）が定格出力（定格流量）（通常流量）に保持される。枝管１６を通る熱源水の圧力は、圧力センサ６６によって測定され、その測定圧力がセンサ６６から圧力指示調節計３３に出力される。圧力指示調節計３３は、枝管１６に流れる熱源水の流量と熱源水の圧力との相関関係とに測定圧力を当て嵌め、その測定圧力による熱源水の流量を求め、流量が定格流量であるかを判断する。たとえば、第１〜第４グループ１８〜２１の各枝管１６に流れる熱源水の流量を２５Ｌ／minとした場合、コントローラ１７は、熱源水ポンプ１３の供給量を２５Ｌ／min×４の１００Ｌ／min（定格流量）に保持する。流量が定格流量ではない場合、圧力指示調節計３３は、流量を必要最低限の流量にするため、熱源水ポンプ１３の出力をインバータ装置６８によって制御し、ポンプ１３の出力を変更する。
【００８５】
このシステム１０Ｂの通常運転モードにおける熱源水の流通経路は、図１のシステム１０Ａの熱源水冷却運転時における通常運転モードのそれと同一であるから、図１のシステム１０Ａの説明を援用することで、その説明は省略する。還り主管１５ｂに流れる熱源水の温度が温度センサ３７によって測定され、その測定温度がセンサ３７から温度指示調節計３８に出力された後、温度指示調節計３８は、熱源水の測定温度と第１設定温度とを比較し、測定温度が第１設定温度よりも高い場合、システム１０Ｂの通常運転モードを継続する（図２援用）。通常運転モードにおいて、各ユニット１４ａ〜１４ｄから流出して還り主管１５ｂに流入した熱源水は、還り主管１５ｂから冷却塔１１に進入し、冷却塔１１によって冷却され、再び送り主管１５ａに流入する。測定温度が第１設定温度よりも低くなると、温度指示調節計３８は、通常運転モードから省エネ運転モードに切り替える。
【００８６】
システム１０Ｂの省エネ運転モードでは、熱源水がバイパス管３９を流れるように、切替弁４０が開放され、切替弁４１，４２が閉鎖される。温度指示調節計３８は、切替弁４０の弁機構を開放し、切替弁４１，４２の弁機構を閉鎖する。
【００８７】
省エネ運転モードにおいて熱源水は、送り主管１５ａから第１グループ１８の送り枝管１６ａに流入し、送り枝管１６ａからそれらユニット１４ａの熱源水流入管３５に流入して各ユニット１４ａに進入するとともに、送り主管１５ａから第２グループ１９の送り枝管１５ａに流入し、送り枝管１５ａからそれらユニット１４ｂの熱源水流入管３５に流入して各ユニット１４ｂに進入する。
【００８８】
第１グループ１８のそれらユニット１４ａにおいて熱交換された熱源水は、ユニット１４ａの熱源水流出管３６に流入し、還り枝管１６ｂを通って還り主管１５ｂに流入し、第２グループ１９のそれらユニット１４ｂにおいて熱交換された熱源水は、ユニット１４ｂの熱源水流出管３６に流入し、還り枝管１６ｂを通って還り主管１５ｂに流入する。
【００８９】
第１および第２グループの各ユニット１４ａ，１４ｂから流出して還り主管１６ｂに流れる熱源水は、バイパス管３９に流入し、バイパス管３９から第２グループ１９と第３グループ２０との間に延びる送り主管１５ａに流入する。バイパス管３９から送り主管１５ａに流入した熱源水は、送り主管１５ａから第３グループ２０の送り枝管１６ａに流入し、送り枝管１６ａからそれらユニット１４ｃの熱源水流入管３５に流入して各ユニット１４ｃに進入するとともに、送り主管１５ａから第４グループ２１の送り枝管１５ａに流入し、送り枝管１５ａからそれらユニット１４ｄの熱源水流入管３５に流入して各ユニット１４ｄに進入する。
【００９０】
第３グループ２０のそれらユニット１４ｃにおいて熱交換された熱源水は、ユニット１４ｃの熱源水流出管３６に流入し、還り枝管１６ｂを通って還り主管１５ｂに流入し、第４グループ２１のそれらユニット１４ｄにおいて熱交換された熱源水は、ユニット１４ｄの熱源水流出管３６に流入し、還り枝管１６ｂを通って還り主管１５ｂに流入する。
【００９１】
省エネ運転モードでは、第１〜第４グループ１８〜２１の枝管１６に流れる熱源水の流量が減少し、その結果、枝管１６内に流れる熱源水の圧力が上がる。枝管１６を通る熱源水の測定圧力が圧力センサ６６から圧力指示調節計３３に出力された後、圧力指示調節計３３は、枝管１６内に流れる熱源水の圧力と熱源水ポンプ１３の出力（熱源水供給量）との相関関係に測定圧力を当て嵌め、その測定圧力に対応する熱源水ポンプ１３の出力を求め、ポンプ１３をインバータ装置６８によってインバータ制御してポンプ１３の出力を求めた出力（定格出力よりも少ない出力）に変更する。熱源水ポンプ１３の熱源水供給量は、定格流量（通常流量）よりも少ない流量に保持される。
【００９２】
たとえば、第１〜第４グループ１８〜２１の枝管１６に流れる熱源水の流量を２５Ｌ／minとした場合、第１および第２グループ１８，１９の各空調対象室に延びる枝管１６から第３および第４グループ２０，２１の各空調対象室に延びる枝管１６に熱源水を流入させることで、第１および第２グループ１８，１９と第３および第４グループ２０，２１と合わせた熱源水の流量が５０Ｌ／minとなる。したがって、通常運転モード時の熱源水の供給量１００Ｌ／minに対して省エネ運転モード時の熱源水の供給量は、その半分の５０Ｌ／minになる。圧力指示調節計３３は、熱源水ポンプ１３の出力をインバータ装置６８によって制御し、ポンプ１３の出力を１００％からＮ％に減少させ、ポンプ１３の熱源水供給量を１００Ｌ／minから５０Ｌ／minに変更し、その供給量を保持する（図３援用）。
【００９３】
温度指示調節計３８は、熱源水の測定温度と第１設定温度とを比較し、測定温度が第１設定温度よりも低い場合、システム１０Ａの省エネ運転モードを継続する（図２援用）。省エネ運転モードにおいて、各ユニット１４ａ〜１４ｄから流出して還り主管１５ｂに流入した熱源水は、還り主管１５ｂから冷却塔１１に進入し、冷却塔１１によって冷却され、再び送り主管１５ａに流入する。測定温度が第１設定温度よりも高くなると、温度指示調節計３８は、省エネ運転モードから通常運転モードに切り替え、上述した通常運転モードを行う。
【００９４】
次に、図４のシステム１０Ｂにおける熱源水加熱運転時の通常運転モードおよび省エネ運転モードを説明する。熱源水加熱運転においてシステム１０Ｂは、熱源水冷却運転と同様に、最初に通常運転モードを行う。熱源水加熱運転では、温水機１２が稼動し、冷却塔１１が停止しているとともに、それらグループ１８〜２１の各水熱源マルチ型ヒートポンプユニット１４ａ〜１４ｄが冷房運転や暖房運転、送風運転のいずれかで運転される。熱源水加熱運転時における通常運転モードでは、熱源水がボイラ１２で加熱され、加熱された熱源水が熱源水ポンプ１３によって供給され、熱源水が送り主管１５ａを通って送り枝管１６ａに進入する。
【００９５】
システム１０Ｂの通常運転モードでは、熱源水がバイパス管３９に流入しないように、切替弁４１，４２が開放され、切替弁４０が閉鎖される。温度指示調節計３８は、切替弁４１，４２の弁機構を開放し、切替弁４０の弁機構を閉鎖する。通常運転モードでは、熱源水ポンプ１３の出力（供給量）が定格流量に保持される。送り主管１５ａを通る熱源水の測定圧力は、センサ３４から圧力指示調節計３３に出力される。圧力指示調節計３３は、熱源水冷却運転時と同様に、測定圧力による熱源水の流量を求め、流量が定格流量であるかを判断する。流量が定格流量である場合、圧力指示調節計３３は、その流量を保持する。
【００９６】
このシステム１０Ｂの通常運転モードにおける熱源水の流通経路は、熱源水冷却運転時における通常運転モードのそれと同一であるから、その説明は省略する。各ユニット１４ａ〜１４ｄにおいて熱交換された熱源水の温度は、ユニット１４ａ〜１４ｄに進入する以前の熱源水のそれよりも低い。還り枝管１６ｂに流れる熱源水の温度は、温度センサ３７によって測定され、その測定温度がセンサ３７から温度指示調節計３８に出力される。
【００９７】
温度指示調節計３８は、熱源水の測定温度と第２設定温度とを比較し、測定温度が第２設定温度よりも低い場合、システム１０Ｂの通常運転モードを継続する（図２援用）。通常運転モードにおいて、各ユニット１４ａ〜１４ｄから流出して還り主管１５ｂに流入した熱源水は、還り主管１５ｂから温水機１２に進入し、温水機１２によって加熱され、再び送り主管１５ａに流入する。測定温度が第２設定温度よりも高くなると、温度指示調節計３８は、通常運転モードから省エネ運転モードに切り替える。
【００９８】
システム１０Ａの省エネ運転モードでは、熱源水がバイパス管３９を流れるように、切替弁４０が開放され、切替弁４１，４２が閉鎖される。温度指示調節計３８は、切替弁４０の弁機構を開放し、切替弁４１，４２の弁機構を閉鎖する。このシステム１０Ｂの省エネ運転モードにおける熱源水の流通経路は、熱源水冷却運転時における省エネ運転モードのそれと同一であるから、その説明は省略する。
【００９９】
省エネ運転モードにおいて、枝管１６を通る熱源水の測定圧力がセンサ６６から圧力指示調節計３３に出力された後、圧力指示調節計３３は、熱源水冷却運転時と同様に、枝管１６内に流れる熱源水の圧力と熱源水ポンプ１３の出力（熱源水供給量）との相関関係に測定圧力を当て嵌め、その測定圧力に対応する熱源水ポンプ１３の出力を求め、ポンプ１３をインバータ装置６８によってインバータ制御してポンプ１３の出力を求めた出力（定格出力よりも少ない出力）に変更する。熱源水ポンプ１３の熱源水供給量は、定格流量（通常流量）よりも少ない流量に保持される。圧力指示調節計３３は、たとえば、通常運転モード時の熱源水の供給量が１００Ｌ／minである場合、熱源水ポンプ１３をインバータ装置６８によってインバータ制御してポンプ１３の出力を変更し、ポンプ１３の熱源水供給量を１００Ｌ／minから５０Ｌ／minに変更してその供給量を保持する。
【０１００】
温度指示調節計３８は、熱源水の測定温度と第２設定温度とを比較し、測定温度が第２設定温度よりも高い場合、システム１０Ｂの省エネ運転モードを継続する（図２援用）。測定温度が第２設定温度よりも低くなると、温度指示調節計３８は、省エネ運転モードから通常運転モードに切り替え、上述した通常運転モードを行う。
【０１０１】
水熱源ヒートポンプユニット配管システム１０Ｂは、システム１０Ｂの熱源水冷却運転において、温度センサ３７から出力された熱源水の温度が第１設定温度よりも低い場合、システム１０Ｂの省エネ運転モードを実行し、省エネ運転モードにおいて、第１および第２グループ１８，１９の各ユニット１４ａ，１４ｂにおいて熱交換された熱源水をバイパス管３９を介して第３および第４グループ２０，２１の各ユニット１４ｃ，１４ｄに流入させ、その熱源水の熱エネルギーを第３および第４グループ２０，２１の各ユニット１４ｃ，１４ｄにおいて再び利用するから、第１および第２グループ１８，１９において熱交換された熱源水を還り主管１５ｂから冷却塔１１に戻すことなく、その熱源水の熱エネルギーを第３および第４グループ２０，２１の各ユニット１４ｃ，１４ｄの冷房運転や暖房運転、送風運転に再利用することができる。
【０１０２】
システム１０Ｂは、システム１０Ｂの熱源水加熱運転において、温度センサ３７から出力された熱源水の温度が第２設定温度よりも高い場合、システム１０Ｂの省エネ運転モードを実行し、省エネ運転モードにおいて、第１および第２グループ１８，１９の各ユニット１４ａ，１４ｂにおいて熱交換された熱源水をバイパス管３９を介して第３および第４グループ２０，２１の各ユニット１４ｃ，１４ｄに流入させ、その熱源水の熱エネルギーを第３および第４グループ２０，２１の各ユニット１４ｃ，１４ｄにおいて再び利用するから、第１および第２グループ１８，１９において熱交換された熱源水を還り主管１５ｂから温水機１２に戻すことなく、その熱源水の熱エネルギーを第３および第４グループ２０，２１の各ユニット１４ｃ，１４ｄの冷房運転や暖房運転、送風運転に再利用することができる。
【０１０３】
システム１０Ｂは、省エネ運転モードにおいて、第１および第２グループ１８，１９の各ユニット１４ａ，１４ｂにおいて熱交換された熱源水を第３および第４グループ２０，２１の各ユニット１４ｃ，１４ｄに流入させるから、通常運転モードにおいてそれらグループ１８〜２１毎に熱源水を供給する場合と比較し、熱源水の供給量を半分にすることができ、それらグループ１８〜２１に供給される熱源水の供給量が減少する。その結果、熱源水ポンプ１３から供給する熱源水の供給量が定格流量（通常流量）よりも少なくなり、その分、熱源水ポンプ１３の出力を減少させることができる。このシステム１０Ｂは、それらグループ１８〜２１に設置された各水熱源ヒートポンプユニット１４ａ〜１４ｄの機能を維持した状態で熱源水ポンプの動力を低減させることができ、システム１０Ｂ全体の省エネ化を図ることができる。
【０１０４】
システム１０Ｂは、熱源水が最後に流れる末端グループである第４グループ２１の枝管１６に圧力センサ６６が設置され、その圧力センサ６６が第４グループ２１の枝管１６の末端差圧を圧力指示調節計３３に出力するから、その圧力センサ６６が末端差圧を検出することで、すべてのグループ１８〜２１の枝管１６に熱源水が確実に流れていることを判断することができる。
【０１０５】
図５は、他の一例として示す水熱源ヒートポンプユニット配管システム１０Ｃの概略構成図である。図５では、第１および第２グループ１８，１９のみを示し、第３および第４グループ２０，２１や冷却塔１１、温水機１２、熱源水ポンプ１３の図示を省略している。図５のシステム１０Ｃが図１のそれと異なるところは、第１グループ１８（一方のグループ）に設置された水熱源マルチ型ヒートポンプユニット１４ａが４台であるのに対して第２グループ１９（他方のグループ）に設置されたユニット１４ｂが３台である点、流量補償弁６７（流量補償機構）が設置されている点、第２グループ１９の還り枝管１６ｂ（還り主管１５ｂの近傍に延びる還り枝管１６ｂ）に温度センサ３７が設置されている点にある。
【０１０６】
このシステム１０Ｃにおける冷却塔１１（熱源水冷却装置）（熱源装置）や温水機１２（熱源水加熱装置）（熱源装置）、熱源水ポンプ１３、水熱源マルチ型ヒートポンプユニット１４ａ〜１４ｄ、主管１５および枝管１６、圧力指示調節計３３（制御機構）、温度指示調節計３８，４４（制御機構）は図１のシステム１０Ａのそれらと同一である。また、熱源水冷却運転時における通常運転モードや省エネ運転モード、熱源水加熱運転時における通常運転モードや省エネ運転モードは図１のシステム１０Ａのそれらと同一であり、通常運転モード時の熱源水の流通経路や省エネ運転モード時の熱源水の流通経路は図１のシステム１０Ａのそれらと同一である。
【０１０７】
このシステム１０Ｃでは、第２グループ１９の枝管の末端（ユニット１４ｄのうちの末端に位置するそれの後）に流量補償弁６７が設置されている。流量補償弁６７は、インターフェイスを介して温度指示調節計３８に接続されている。流量補償弁６７は、第１グループ１８の送り枝管１５ａおよび還り枝管１５ｂに流れる熱源水の流量と第２グループ１９の送り枝管１５ａおよび還り枝管１５ｂに流れる熱源水の流量とを同一にするために設置される。
【０１０８】
たとえば、第１グループ１８の枝管１６に流れる熱源水の流量が１ユニット５Ｌ／minとして４×５Ｌ／minで２０Ｌ／minであるのに対し、第２グループ１９のユニット１４ｂが３台の場合、第２グループ１９の枝管１６に流れる熱源水の流量は３×５Ｌ／minで１５Ｌ／minとなる。それらグループ１８，１９の枝管１６に流れる熱源水の流量が異なると、第１グループ１８の各ユニット１４ａにおいて熱交換された熱源水をバイパス管３９を介して第２グループ１９の各ユニット１４ｂに流入させたときに、第１グループ１８の枝管１６に流れる熱源水の流量が第２グループ１９の影響を受けて各ユニット１４ａの必要水量である２０Ｌ／minを確保することができず、各ユニット１４ａにおいて過少流量となり、各ユニット１４ａが高圧カット等のトラブルを発生する。そこで、流量補償弁６７を設置し、流量補償弁６７に５Ｌ／minの熱源水を流すことで、第１グループ１８の送り枝管１５ａおよび還り枝管１５ｂに流れる熱源水の流量と第２グループ１９の送り枝管１５ａおよび還り枝管１５ｂに流れる熱源水の流量とを同一にし、各ユニット１４ａの過少流量によるトラブルを防いでいる。
【０１０９】
このシステム１０Ｃは、図１のそれが有する効果に加え、以下の効果を有する。システム１０Ｃは、流量補償弁６７によって第１および第２グループ１８，１９の枝管１６に流れる熱源水の流量が同一になるから、第１グループ１８の各ユニット１４ａにおいて熱交換された熱源水をバイパス管３９を介して第２グループ１９の各ユニット１４ｂに流入させたときに、熱源水の供給量を最大で半分にすることができ、それらグループ１８，１９に供給される熱源水の供給量や熱源水を供給する熱源水ポンプ１３の出力を確実に減少させることができる。
【０１１０】
図６は、他の一例として示す水熱源ヒートポンプユニット配管システム１０Ｄの概略構成図である。このシステム１０Ｄが図１のそれと異なるところは、圧力指示調節計３３や温度指示調節計３８，４４が設置されておらず、それら調節計３３，３８，４４に替わってコントローラ１７（制御機構）が設置されている点にある。このシステム１０Ｄにおける冷却塔１１（熱源水冷却装置）（熱源装置）や温水機１２（熱源水加熱装置）（熱源装置）、熱源水ポンプ１３、水熱源マルチ型ヒートポンプユニット１４ａ〜１４ｄ、主管１５および枝管１６は図１のシステム１０Ａのそれらと同一であるから、図１と同一の符号を付すとともに、図１の説明を援用することで、このシステム１０Ｄにおけるそれらの説明は省略する。
【０１１１】
コントローラ１７は、中央処理部（ＣＰＵまたはＭＰＵ）と記憶部とを有するコンピュータである。コントローラ１７には、キーボード、テンキーユニット、ディスプレイ、プリンタ等の入出力装置（図示せず）がインターフェイスを介して接続され、熱源水ポンプ１３、温度センサ３７，４３、切替弁４０〜４２，４６〜４８がインターフェイスを介して接続されている。コントローラ１７は、圧力センサ３４から出力される圧力を所定の周期でサンプリングするとともに、温度センサ３７，４３から出力される温度を所定の周期でサンプリングし、切替弁４０〜４２，４６〜４８に対してＯＮ／ＯＦＦ制御を実行しつつ、熱源水ポンプ１３に接続されたインバータ装置６８に制御信号を出力する。
【０１１２】
コントローラ１７の記憶部には、熱源水冷却運転時に通常運転モードと省エネ運転モードとのいずれかを行う基準値となる熱源水の第１設定温度が格納され、熱源水加熱運転時における通常運転モードと省エネ運転モードとのいずれかを行う基準値となる熱源水の第２設定温度が格納されている。コントローラ１７の記憶部には、システム１０Ｄの通常運転モード時（通常流量）における熱源水ポンプ１３の定格出力（設定情報）が格納されている。また、送り主管１５ａに流れる熱源水の流量と熱源水の圧力との相関関係、送り主管１５ａ内に流れる熱源水の圧力と熱源水ポンプ１３の出力（熱源水供給量）との相関関係が格納されている。第１および第２設定温度は入力装置によって自由に変更することができる。
【０１１３】
コントローラ１７の中央処理部は、システム１０Ｄの熱源水冷却運転時において、温度センサ３７，４３から出力された熱源水の測定温度と記憶部に格納された第１設定温度とを比較する。コントローラ１７の中央処理部は、測定温度と第１設定温度とを比較した結果、測定温度が第１設定温度よりも高い場合、システム１０Ａの通常運転モードを行い、測定温度が第１設定温度よりも低い場合、システム１０Ａの省エネ運転モードを行う。
【０１１４】
コントローラ１７の中央処理部は、システム１０Ｄの熱源水加熱運転時において、温度センサ３７，４３から出力された熱源水の測定温度と記憶部に格納された第２設定温度とを比較する。コントローラ１７の中央処理部は、測定温度と第２設定温度とを比較した結果、測定温度が第２設定温度よりも低い場合、システム１０Ａの通常運転モードを行い、測定温度が第２設定温度よりも高い場合、システム１０Ａの省エネ運転モードを行う。システム１０Ｄの通常運転モードにおける熱源水の流通経路や省エネ運転モードにおける熱源水の流通経路は、図１のシステム１０Ａのそれらと同一であるから、その説明は省略する。
【０１１５】
システム１０Ｄの通常運転モードにおいて、コントローラ１７は、切替弁４１，４２，４７，４８の弁機構を開放し、切替弁４０，４６の弁機構を閉鎖するとともに、熱源水ポンプ１３の供給量（出力）を定格流量（定格出力）に保持する。送り主管１５ａを通る熱源水の圧力は、圧力センサ３４によって測定され、その測定圧力がセンサ３４からコントローラ１７に出力される。コントローラ１７は、送り主管１５ａに流れる熱源水の流量と熱源水の圧力との相関関係とに測定圧力を当て嵌め、その測定圧力による熱源水の流量を求め、流量が定格流量であるかを判断する。流量が定格流量ではない場合、コントローラ１７は、流量を必要最低限の流量にするため、熱源水ポンプ１３の出力をインバータ装置６８によって制御し、ポンプ１３の出力を変更する。
【０１１６】
システム１０Ｄの省エネ運転モードにおいて、コントローラ１７は、切替弁４０，４６の弁機構を開放し、切替弁４１，４２，４７，４８の弁機構を閉鎖する。省エネ運転モードでは、第１〜第４グループ１８〜２１の枝管１６に流れる熱源水の流量が減少し、その結果、主管１５ａ内に流れる熱源水の圧力が上がる。送り主管１５ａを通る熱源水の測定圧力がセンサ３４からコントローラ１７に出力された後、コントローラ１７は、送り主管１５ａ内に流れる熱源水の圧力と熱源水ポンプ１３の出力（熱源水供給量）との相関関係に測定圧力を当て嵌め、その測定圧力に対応する熱源水ポンプ１３の出力を求め、ポンプ１３をインバータ装置６８によってインバータ制御してポンプ１３の出力を求めた出力（定格出力よりも少ない出力）に変更する。熱源水ポンプ１３の熱源水供給量は、定格流量（通常流量）よりも少ない流量に保持される。
【０１１７】
このシステム１０Ｄは、図１のそれが有する効果に加え、以下の効果を有する。システム１０Ｄは、圧力指示調節計３３や温度指示調節計３８，４４に替わってコントローラ１７が設置されており、１台のコントローラ１７によって、システム１０Ｄにおける通常運転モードと省エネ運転モードとを行うことができ、配管経路に圧力指示調節計３３や温度指示調節計３８，４４を設置する手間を省くことができるのみならず、圧力指示調節計３３や温度指示調節計３８，４４をコントローラ１７に替えることによるコストダウンを図ることができる。
【０１１８】
図１や図６のシステム１０Ａ，１０Ｄでは、圧力センサ３４に替えて、熱源水が最後に流れる末端グループである第４グループ２１の枝管１６に圧力センサ６６が設置されていてもよく、図４のシステム１０Ｂでは、圧力センサ６６に替えて、圧力センサ３４が熱源水ポンプ１３の近傍に延びる送り主管１５ａに設置されていてもよい。また、図示はしていないが、図１や図４、図５、図６のシステム１０Ａ〜１０Ｄでは、熱源水ポンプ１３の出力制御（熱源水供給量制御）を流量と送水圧との推定末端圧制御（カスケード制御）にすることもできる。
【符号の説明】
【０１１９】
１０Ａ  水熱源ヒートポンプユニット配管システム
１０Ｂ  水熱源ヒートポンプユニット配管システム
１０Ｃ  水熱源ヒートポンプユニット配管システム
１０Ｄ  水熱源ヒートポンプユニット配管システム
１１    冷却塔（熱源装置）
１２    温水機（熱源装置）
１３    熱源水ポンプ
１４ａ〜ｄ  水熱源マルチ型ヒートポンプユニット
１５ａ  送り主管
１５ｂ  還り主管
１６ａ  送り枝管
１６ｂ  還り枝管
１７    コントローラ（制御機構）
１８    第１空調対象グループ
１９    第２空調対象グループ
２０    第３空調対象グループ
２１    第４空調対象グループ
３３    圧力指示調節計（制御機構）
３４    圧力センサ
３７    温度センサ
３８    温度指示調節計（制御機構）
３９    バイパス管
４０    切替弁
４１    切替弁
４２    切替弁
４３    温度センサ
４４    温度指示調節計（制御機構）
４５    バイパス管
４６    切替弁
４７    切替弁
４８    切替弁
６５    バイパス管
６６    圧力センサ
６７    流量補償弁（流量補償機構）
６８    インバータ装置（制御機構）
【図１】
0005486425.tif 000002
【図２】
0005486425.tif 000003
【図３】
0005486425.tif 000004
【図４】
0005486425.tif 000005
【図５】
0005486425.tif 000006
【図６】
0005486425.tif 000007